(57)【要約】      （修正有）【課題】変圧器をより薄くしつつ、巻線の巻回長さを長くすることで、磁束現象により生じる電力をさらに増大させることができる薄型変圧器を提供する。【解決手段】薄型変圧器は鉄心１とボビン２とからなり、鉄心は矩形状をなし、その中央箇所に長方形の中柱１１を設け、中柱の周縁には収容空間１２が周回するように設けられる。ボビンはボビン体をなし、その中央には鉄心の中柱形状に対応する中央穴が設けられ、中央穴の外周縁には巻線２２１を巻回させるための巻線空間が設けられ、ボビン両端には巻線末端を結線するための溶接柱２３がそれぞれ延設されている。組み立ての際は、二つの鉄心をボビンの上下両側からそれぞれ中柱をもってボビンの中央穴に挿入し、鉄心の中柱を長方形として製作して中柱の全周長を長くすることで、変圧器をさらに薄くするとともに、巻線の巻回長さを長くすることができる。【選択図】図３
0003189316.tif 000002
【実用新案登録請求の範囲】
【請求項１】
主に鉄心とボビンとからなる長尺状中柱鉄心の薄型変圧器であって、鉄心は矩形状をなす形状体であって、その中央箇所には長方形の中柱が設けられており、中柱は第１のサイズと、第１のサイズと直交する第２のサイズと、を有しており、
ボビンの中央には鉄心の中柱が係合する中央穴が設けられるとともに、ボビンの両端には巻線末端を結線する溶接柱がそれぞれ延設されており、
組み立ての際は、二つの鉄心をボビンの上下両側からそれぞれ中柱をもってボビンの中央穴に挿入した後に組み合わせるものであり、鉄心の中柱全周長を長くすることで、変圧器をさらに薄くするとともに、巻線の巻回長さを長くすることができる、ことを特徴とする長尺状中柱鉄心の薄型変圧器。
【請求項２】
鉄心の中柱の第１のサイズと第２のサイズとの比率が約１：５である、ことを特徴とする請求項１に記載の長尺状中柱鉄心の薄型変圧器。
【考案の詳細な説明】
【技術分野】
【０００１】
本考案は長尺状中柱鉄心の薄型変圧器に関し、特に変圧器をより薄くしつつ、巻線の巻回長さを長くすることで、磁束現象により生じる電力をさらに増大させる目的を達成することができる長方形の鉄心の中柱に関する。
【背景技術】
【０００２】
従来の鉄心構造の立体分解図である図１を参照すると、従来の鉄心構造は主に鉄心３と、ボビン４とから構成する。
【０００３】
このうち鉄心３の中央には中柱３１が設けられており、中柱３１の周囲には収容空間３２が周回するように設けられるとともに、収容空間３２の対向する両側には外側に連通する側面中空部３３１がそれぞれ設けられることで、当該収容空間３２の外周縁の残り部分に二つの対応する側壁３３が自然に形成されるようになっている。
【０００４】
ボビン４の中央には中央穴４１が設けられており、中央穴４１の外周縁には巻線４２１を巻回させるための巻線空間４２が設けられるとともに、ボビン４の両端には集線板４３１がそれぞれ延設されており、しかも集線板４３１上には巻線の先端を引き出す溶接柱４３がそれぞれ設けられている。
【０００５】
組み立ての際は、二つの鉄心３をボビン４の両側からそれぞれ中柱３１をもってボビン４の中央穴４１に差込んだ後に互いに接触させるとともに、巻線空間４２を収容空間３２にて収容させて、そして側面中空部３３１が二つの集線板４３１と共同で集線板４３１、溶接柱４３を鉄心３の外部位置に保持して、鉄心３の側壁３３が中柱３１と共同で巻線４２１の周縁に磁気回路を形成することができる。
【０００６】
しかしながら、上記の鉄心構造は援用されてすでに久しいものの、使用時において以下のような欠点があるのは免れない。
【０００７】
従来の鉄心の中柱には円柱状を採用していることから、鉄心に巻回できる巻線の数には制限があり、もし電圧出力量を増加させたい場合には、鉄心の体積を増やすか、または巻線の巻回数を増加させなければならないことから、鉄心の体積を増やさないという前提がある場合には、従来の鉄心構造を変更して電圧出力量を増加させることはできない。
【０００８】
従来の鉄心構造には上記のような欠点があることに鑑み、考案者はこれら欠点について研究・改善を模索することで、ついに本考案を創出した。
【考案の概要】
【考案が解決しようとする課題】
【０００９】
本考案の主な目的は、変圧器をより薄くしつつ、巻線の巻回長さを長くすることで、磁束現象により生じる電力をさらに増大させることができる長尺状中柱鉄心の薄型変圧器を提供するところにある。
【課題を解決するための手段】
【００１０】
上記目的を達成するために、本考案に係る長尺状中柱鉄心の薄型変圧器は主に鉄心とボビンとからなり、このうち、鉄心は矩形状をなす形体であって、その中央箇所には長方形の中柱が設けられるとともに、中柱の周縁には収容空間が周回するように設けられており、ボビンは対応型設計のボビン体をなしており、その中央には鉄心の中柱形状に対応する中央穴が設けられており、中央穴の外周縁には巻線を巻回させるための巻線空間が周回するように設けられており、ボビン両端には巻線末端を結線するための溶接柱がそれぞれ延設されている。組み立ての際は、二つの鉄心をボビンの上下両側からそれぞれ中柱をもってボビンの中央穴に挿入した後に組み合わせるものであり、鉄心の中柱を長方形として製作して中柱の全周長を長くすることで、変圧器をさらに薄くするとともに、巻線の巻回長さを長くすることができ、磁束現象により生じる電力をさらに増大させる目的を達成することができる。
【００１１】
本考案の詳細な構造、運用原理及び発生する効果については、下記にある図面の説明で完全に理解することができる。
【図面の簡単な説明】
【００１２】
【図１】従来の鉄心構造の立体分解図である。
【図２】本考案の長尺状中柱鉄心の薄型変圧器の立体組立図である。
【図３】本考案の長尺状中柱鉄心の薄型変圧器の立体分解図である。
【図４】本考案の長尺状中柱鉄心の薄型変圧器の第１の角度から見た断面概略図である。
【図５】本考案の長尺状中柱鉄心の薄型変圧器の第２の角度から見た断面概略図である。
【考案を実施するための形態】
【００１３】
本考案の長尺状中柱鉄心の薄型変圧器の立体組立図である図２、及び本考案の長尺状中柱鉄心の薄型変圧器の立体分解図である図3を参照すると、本考案は主に鉄心１と、ボビン２とを備えている。
【００１４】
鉄心１は矩形状をなすコ字状体であって、その中央箇所には長方形の中柱１１が設けられており、中柱１１は第１のサイズＬ１と、第１のサイズＬ１に直交する第２のサイズＬ２とを有しており、そして第１のサイズＬ１と第２のサイズＬ２との比率は１：５となるとともに、中柱11の周縁には収容空間１２が周回するように設けられており、かつ収容空間１２の外周縁にて中柱１１に対向する両側方向には側壁１３が設けられており、鉄心１の両側は開放形式の側面中空部１３１となっている。
【００１５】
ボビン２は対応型設計のボビン体をなしており、その中央には鉄心１と中柱１１に係合する中央穴２１が設けられており、中央穴２１の外周縁には巻線２２１を巻回させるための巻線空間２２が周回するように設けられており、ボビン2の両側には集線板２３１がそれぞれ延設されるとともに、集線板２３１には巻線末端を結線するための溶接柱２３がそれぞれ設けられている。
【００１６】
組み立ての際は、二つの鉄心１をボビン２の上下両側からそれぞれ中柱１１をもってボビン２の中央穴２１に挿入した後に組み合わせるとともに、巻線空間２２を収容空間１２に収容させて、そして側面中空部１３１が二つの集線板２３１と共同で集線板２３１、溶接柱２３を鉄心１の外部の位置に保持して、鉄心１の側壁１３が中柱１１と共同で巻線２２１の周縁に磁気回路を形成することができる。
【００１７】
運用時のことは、本考案の長尺状中柱鉄心の薄型変圧器の立体分解図である図３、本考案の長尺状中柱鉄心の薄型変圧器の第１の角度から見た断面概略図である図４、本考案の長尺状中柱鉄心の薄型変圧器の第２の角度から見た断面概略図である図５を参照されたい。図中からは、長尺状中柱鉄心の薄型変圧器に通電すると、巻線２２１と鉄心１に発生した磁気回路があることが分る。変圧器の構成は主に二つの電気学の法則、エネルギー保存の法則及びオームの法則に関係するものであって、オームの法則によれば、変圧器両側の間の電流又は電圧の比率は、両側の回路巻線の巻回数により決まり、巻回数が多い側の電圧は高いが電流は小さくなるため（逆もまた然り）、変圧器両側の電圧比は両側の巻線の巻回比に等しくなる、つまり電圧と巻回数とは正比例することが分る。以下に（数１）及び変圧器の他の電圧数式（数２）を示す。
【００１８】
（数１）
Ｖｐ／Ｖｓ＝Ｎｐ／Ｎｓ
数式中、Ｖｐは入力側の電圧、Ｖｓは出力側の電圧、Ｎｐは入力側の巻線数、Ｎｓは出力側の巻線数。
【００１９】
（数２）
Ｅ＝４.４４×Ｆ×ｎ×ａ×ｂ
数式中、Ｅは巻線を流れる電圧、Ｆは電流の周波数、ｎは巻線の巻回数、ａは鉄心の断面積、ｂは巻線にて鉄心を通過する磁力であり、定数値４.４４は数式結果を算出された単位に対応させるために設定されたものである。
【００２０】
これから分るように、巻線２２１の巻回数及び鉄心１の体積は変圧器の電圧出力量に影響を及ぼす主因であるため、本考案では、鉄心１の中柱１１を長方形として設計することで、中柱１１の周長を長くして、（第１のサイズＬ１と第２のサイズＬ２との比率は約１：５である）、鉄心1の中柱11の断面積が大きくなるうえ、ボビン２に巻回可能な巻線２２１の長さも長くすることになり、磁束現象により生じる電力をさらに増大させる目的を達成することができる。
【００２１】
上記をまとめるに、長尺状中柱鉄心の薄型変圧器は、運用上において確実に巻線の巻回数を増加させて、磁束現象により生じる電力をさらに増大させる効果を備えており、これら効果は確実に従来には達成でき得なかった問題を改善することができるうえ、本考案は公開使用されていないことから、実用新案の要件に符合するものである。
【符号の説明】
【００２２】
１、３ 鉄心
１１、３１ 中柱
１２、３２ 収容空間
１３、３３ 側壁
１３１、３３１ 側面中空部
２、４ ボビン
２１、４１ 中央穴
２２、４２ 巻線空間
２２１、４２１ 巻線
２３、４３ 溶接柱
２３１、４３１ 集線板
Ｌ１ 第１のサイズ
Ｌ２ 第２のサイズ
【図１】
0003189316.tif 000003
【図２】
0003189316.tif 000004
【図３】
0003189316.tif 000005
【図４】
0003189316.tif 000006
【図５】
0003189316.tif 000007